(57)【要約】【課題】除湿効率の向上に要する電力消費を抑制可能な空調設備を提供する。【解決手段】屋根部Ｒを有する建屋Ｑの室内空間Ｐを空調する空調設備１０において、建屋Ｑ内に屋根部Ｒから間隔を空けて配されて、屋根部Ｒとの間に室内空間Ｐの空気が流入可能な通気部Ｔを設ける吸放湿部材１１と、夏季に、通気部Ｔ内の水分ポテンシャルが室内空間Ｐの水分ポテンシャルより低いと判定した際、室内空間Ｐ内の空気を通気部Ｔ経由で屋外に排出する空気搬送装置１２とを備える。【選択図】図３
2019143940.tif 000002
【特許請求の範囲】
【請求項１】
屋根部を有する建屋の室内空間を空調する空調設備において、
前記建屋内に前記屋根部から間隔を空けて配されて、該屋根部との間に前記室内空間の空気が流入可能な通気部を設ける吸放湿部材と、
夏季に、前記通気部内の水分ポテンシャルが前記室内空間の水分ポテンシャルより低いと判定した際、前記室内空間内の空気を前記通気部経由で屋外に排出する空気搬送装置とを備えることを特徴とする空調設備。
【請求項２】
請求項１記載の空調設備において、前記通気部内の温度を計測する通気部温度計を備え、前記空気搬送装置は、前記通気部温度計の計測温度に基づいて前記通気部内の水分ポテンシャルが前記室内空間の水分ポテンシャルより低いと判定することを特徴とする空調設備。
【請求項３】
請求項２記載の空調設備において、前記室内空間の温度を計測する室内温度計を更に備え、前記空気搬送装置は、前記通気部温度計の計測温度及び前記室内温度計の計測温度に基づいて前記通気部内の水分ポテンシャルが前記室内空間の水分ポテンシャルより低いと判定することを特徴とする空調設備。
【請求項４】
請求項１記載の空調設備において、前記通気部内の温度を計測する通気部温度計を備え、夏季に、前記通気部温度計の計測温度が所定温度以下である際、前記空気搬送装置は、前記室内空間の空気を前記通気部経由で前記室内空間に戻すことを特徴とする空調設備。
【請求項５】
請求項１記載の空調設備において、前記通気部内の温度を計測する通気部温度計を備え、冬季に、前記通気部温度計の計測温度が所定温度以上である際、前記空気搬送装置は、前記室内空間の空気を前記通気部経由で前記室内空間に戻すことを特徴とする空調設備。
【請求項６】
請求項１記載の空調設備において、前記通気部内の温度を計測する通気部温度計と、前記室内空間の温度を計測する室内温度計とを備え、夏季に、前記通気部温度計の計測温度が前記室内温度計の計測温度より所定温度以上低い際、前記空気搬送装置は、前記室内空間の空気を前記通気部経由で前記室内空間へ戻すことを特徴とする空調設備。
【請求項７】
請求項１記載の空調設備において、前記通気部内の温度を計測する通気部温度計と、前記室内空間の温度を計測する室内温度計とを備え、冬季に、前記通気部温度計の計測温度が前記室内温度計の計測温度より所定温度以上高い際、前記空気搬送装置は、前記室内空間の空気を前記通気部経由で前記室内空間へ戻すことを特徴とする空調設備。
【請求項８】
請求項１〜３のいずれか１項に記載の空調設備において、吸い込み部から取り込んだ空気を冷却又は加熱して前記室内空間に吹き出す温調装置を更に備え、前記空気搬送装置は、前記通気部内の空気を、前記吸い込み部が配置された空間に移送、又は、前記吸い込み部に接続されたダクト経由で該吸い込み部に直接移送することを特徴とする空調設備。
【請求項９】
請求項１〜８のいずれか１項に記載の空調設備において、前記室内空間の空気を屋外に排出する換気手段と、前記空気搬送装置が前記室内空間内の空気を前記通気部経由で屋外に排出しているのを検出し、前記換気手段を停止、又は、該換気手段の空気排出量を減少させる制御手段とを更に備えることを特徴とする空調設備。
【発明の詳細な説明】
【技術分野】
【０００１】
本発明は、建屋内の空調を行う空調設備に関する。
【背景技術】
【０００２】
建屋内の室内空間の除湿には、例えば特許文献１、２に記載されているようなデシカント式の除湿装置が用いられる。当該除湿装置は、吸湿部で空気中の水分を吸収することによって、室内空間の湿度を低下させる。
【先行技術文献】
【特許文献】
【０００３】
【特許文献１】特開２０１５−２１７０６号公報
【特許文献２】特開２０１７−１０１８９８号公報
【発明の概要】
【発明が解決しようとする課題】
【０００４】
しかしながら、デシカント式の除湿装置は、水分を吸収した吸湿部から水分を蒸発させるために電力消費を伴って作動する機構が必要であり、除湿効率の向上には多大な電力消費が伴うという課題があった。
本発明は、かかる事情に鑑みてなされたもので、除湿効率の向上に要する電力消費を抑制可能な空調設備を提供することを目的とする。
【課題を解決するための手段】
【０００５】
前記目的に沿う本発明に係る空調設備は、屋根部を有する建屋の室内空間を空調する空調設備において、前記建屋内に前記屋根部から間隔を空けて配されて、該屋根部との間に前記室内空間の空気が流入可能な通気部を設ける吸放湿部材と、夏季に、前記通気部内の水分ポテンシャルが前記室内空間の水分ポテンシャルより低いと判定した際、前記室内空間内の空気を前記通気部経由で屋外に排出する空気搬送装置とを備える。
ここで、水分ポテンシャルとは、温度、相対湿度、絶対湿度等から求められるエネルギー量で、空気が流通可能な２つの空間では、水分ポテンシャルが高い空間から低い空間に空気中の水分が移動する（特開２０１７−１６６７７９号公報参照）。
【０００６】
本発明に係る空調設備において、前記通気部内の温度を計測する通気部温度計を備え、前記空気搬送装置は、前記通気部温度計の計測温度に基づいて前記通気部内の水分ポテンシャルが前記室内空間の水分ポテンシャルより低いと判定するのが好ましい。
【０００７】
本発明に係る空調設備において、前記室内空間の温度を計測する室内温度計を更に備え、前記空気搬送装置は、前記通気部温度計の計測温度及び前記室内温度計の計測温度に基づいて前記通気部内の水分ポテンシャルが前記室内空間の水分ポテンシャルより低いと判定するのが好ましい。
【０００８】
本発明に係る空調設備において、前記通気部内の温度を計測する通気部温度計を備え、夏季に、前記通気部温度計の計測温度が所定温度以下である際、前記空気搬送装置は、前記室内空間の空気を前記通気部経由で前記室内空間に戻すのが好ましい。
【０００９】
本発明に係る空調設備において、前記通気部内の温度を計測する通気部温度計を備え、冬季に、前記通気部温度計の計測温度が所定温度以上である際、前記空気搬送装置は、前記室内空間の空気を前記通気部経由で前記室内空間に戻すのが好ましい。
【００１０】
本発明に係る空調設備において、前記通気部内の温度を計測する通気部温度計と、前記室内空間の温度を計測する室内温度計とを備え、夏季に、前記通気部温度計の計測温度が前記室内温度計の計測温度より所定温度以上低い際、前記空気搬送装置は、前記室内空間の空気を前記通気部経由で前記室内空間へ戻すのが好ましい。
【００１１】
本発明に係る空調設備において、前記通気部内の温度を計測する通気部温度計と、前記室内空間の温度を計測する室内温度計とを備え、冬季に、前記通気部温度計の計測温度が前記室内温度計の計測温度より所定温度以上高い際、前記空気搬送装置は、前記室内空間の空気を前記通気部経由で前記室内空間へ戻すのが好ましい。
【００１２】
本発明に係る空調設備において、吸い込み部から取り込んだ空気を冷却又は加熱して前記室内空間に吹き出す温調装置を更に備え、前記空気搬送装置は、前記通気部内の空気を、前記吸い込み部が配置された空間に移送、又は、前記吸い込み部に接続されたダクト経由で該吸い込み部に直接移送するのが好ましい。
【００１３】
本発明に係る空調設備において、前記室内空間の空気を屋外に排出する換気手段と、前記空気搬送装置が前記室内空間内の空気を前記通気部経由で屋外に排出しているのを検出し、前記換気手段を停止、又は、該換気手段の空気排出量を減少させる制御手段とを更に備えるのが好ましい。
【発明の効果】
【００１４】
本発明に係る空調設備は、建屋内に配されて、屋根部との間に室内空間の空気が流入可能な通気部を設ける吸放湿部材と、夏季に、通気部内の水分ポテンシャルが室内空間の水分ポテンシャルより低いと判定した際、室内空間内の空気を通気部経由で屋外に排出する空気搬送装置とを備えるので、通気部内の水分ポテンシャルが室内空間の水分ポテンシャルより低いと判定された際、室内空間内の空気から吸放湿部材に吸収された水分は、通気部内に放出され、室内空間内から通気部経由で屋外に排出される空気の流れによって、屋外に排出されることとなる。そのため、水分ポテンシャルの差を利用した室内空間の除湿が可能となり、除湿効率の向上に要する電力消費を抑制することができる。
【図面の簡単な説明】
【００１５】
【図１】本発明の第１の実施の形態に係る空調設備の説明図である。
【図２】空気搬送装置の接続を示すブロック図である。
【図３】空気搬送装置が通気部の空気を屋外に排出する様子を示す説明図である。
【図４】空気搬送装置が通気部の空気を屋根裏空間に送る様子を示す説明図である。
【図５】本発明の第２の実施の形態に係る空調設備の説明図である。
【発明を実施するための形態】
【００１６】
続いて、添付した図面を参照しつつ、本発明を具体化した実施の形態につき説明し、本発明の理解に供する。
図１に示すように、本発明の第１の実施の形態に係る空調設備１０は、屋根部Ｒを有する建屋Ｑの室内空間Ｐを空調する設備であって、建屋Ｑ内に屋根部Ｒから間隔を空けて配されて、屋根部Ｒとの間に室内空間Ｐの空気が流入可能な通気部Ｔを設ける吸放湿部材１１と、室内空間Ｐ内の空気を通気部Ｔ経由で屋外に排出可能な空気搬送装置１２とを備えている。以下、詳細に説明する。
【００１７】
空調設備１０が設けられた建屋Ｑは、図１に示すように、屋根部Ｒと、建屋Ｑ内を屋根裏空間Ｓ及び室内空間Ｐに仕切る天井板Ｕと、室内空間Ｐを前後左右から囲む壁部Ｗとを有している。本実施の形態では、屋根部Ｒが矩形状の傾斜板Ｒ１及び傾斜板Ｒ１より小さい矩形状の傾斜板Ｒ２を具備し、屋根裏空間Ｓの最も高い位置には空気溜まり部Ｈが形成されている。天井板Ｕには、開口Ｍが形成されており、屋根裏空間Ｓ内の空気と室内空間Ｐ内の空気は開口Ｍを通って入れ替わることができる。
【００１８】
吸放湿部材１１は、セルロースファイバーを主原料とする、平面状に広がる吸放湿層１３と、吸放湿層１３が下から取り付けられた板状のベース材１４とを備え、傾斜板Ｒ１の下方に傾斜板Ｒ１から距離を有して配置されている。吸放湿層１３及びベース材１４は、傾斜して配置され、それぞれ傾斜板Ｒ１に対して平行であり、ベース材１４（吸放湿部材１１）と傾斜板Ｒ１の間に平面状に広がった通気部Ｔが設けられている。通気部Ｔは一側が空気溜まり部Ｈに連通し、他側が室内空間Ｐに連通している。
【００１９】
吸放湿層１３は、周囲から湿気を吸収でき、かつ、吸収した湿気を周囲に放出できる吸放湿性を有している。ベース材１４は、透湿性を有し、通気部Ｔと吸放湿層１３との間に配されている。そのため、吸放湿層１３は、屋根裏空間Ｓ内の空気から湿気を吸収でき、吸収した湿気をベース材１４越しに通気部Ｔへ放出可能である（即ち、吸放湿部材１１は、屋根裏空間Ｓ内の空気から湿気を吸収でき、吸収した湿気を通気部Ｔへ放出できる）。
【００２０】
空調設備１０は、吸放湿部材１１に加え、空気溜まり部Ｈに配置されて、通気部Ｔ内の温度を計測する温度計１５（通気部温度計）と、天井板Ｕに設けられたファン１６を有する屋根裏空間Ｓに配置された空気搬送装置１２と、壁部Ｗに設けられたファン１７、１８と、室内空間Ｐの冷房及び暖房を行う温調装置１９を備えている。なお、ファン１７は換気手段の一例である。
ファン１６は、通常作動しており、作動によって屋根裏空間Ｓの空気を室内空間Ｐに送る。室内空間Ｐ内の空気は、ファン１６の作動時、開口Ｍを通って屋根裏空間Ｓ内に流入するため、屋根裏空間Ｓの空気と室内空間Ｐの空気は常時入れ替わっている。
【００２１】
ファン１７、１８は作動によって室内空間Ｐ内の空気を屋外に排出する。本実施の形態では、ファン１７、１８が居室及び浴室にそれぞれ設けられている。天井板Ｕには開口Ｍが形成されており、室内空間Ｐの空気は開口Ｍを通って屋根裏空間Ｓに流入でき、屋根裏空間Ｓの空気は開口Ｍを通って室内空間Ｐに流入可能である。
空気搬送装置１２は、図１、図２に示すように、ファン１６に加え、両端がそれぞれ空気溜まり部Ｈ及び屋外に配置された通気管２０と、通気管２０に設けられたファン２１及びダンパ２２と、一端が通気管２０に接続された通気管２３と、通気管２３に設けられたダンパ２４と、ファン１６、２１及びダンパ２２、２４を制御する制御部２５を備えている。
【００２２】
ファン２１は、ダンパ２２より空気溜まり部Ｈの近くに配置され、作動によって空気溜まり部Ｈ内の空気を通気管２０に取り込んで空気溜まり部Ｈ外に送り出す。空気溜まり部Ｈ内の空気が通気管２０に送り出されるのに伴って、通気部Ｔ内の空気は空気溜まり部Ｈ内に流入し、室内空間Ｐ内の空気は通気部Ｔに流入する。
通気管２３は、一端がファン２１とダンパ２２の間で通気管２０に接続され、他端が屋根裏空間Ｓ内に配置されている。
【００２３】
ダンパ２２は、閉状態となって通気管２０のダンパ２２の設置位置を空気が通らないようにし、開状態となって通気管２０のダンパ２２の設置位置を空気が通るようにする。ダンパ２４は、閉状態となって通気管２３のダンパ２４の設置位置を空気が通らないようにし、開状態となって通気管２３のダンパ２４の設置位置を空気が通るようにする。ダンパ２２、２４は、制御部２５から信号が送信されることによって、開閉状態が変えられる。
【００２４】
ダンパ２２、２４がそれぞれ開状態及び閉状態で、ファン２１が作動することによって、空気溜まり部Ｈ内の空気は、図３に示すように、通気管２０を通って屋外に排出される。そして、ダンパ２２、２４がそれぞれ閉状態及び開状態で、ファン２１が作動することによって、空気溜まり部Ｈ内の空気は、図４に示すように、通気管２０、２３を通って屋根裏空間Ｓ内に送られる。
【００２５】
制御部２５は、図２に示すように、ファン２１及びダンパ２２、２４に加え、温度計１５に接続されており、温度計１５の計測温度を取得可能である。本実施の形態では、制御部２５が、主として、ＣＰＵ、メモリ、メモリにインストールされたソフトウェアによって構成されているが、これには限定されない。
また、温調装置１９は、屋根裏空間Ｓ（吸い込み部１９ａが配置された空間の一例）内の空気を吸い込み部１９ａから取り込んで冷却又は加熱した後、その空気を室内空間Ｐ内に吹き出す。なお、図１では、温調装置１９の室外機の記載を省略している。
【００２６】
制御部２５は、間欠的に温度計１５の計測温度を取得し、取得した温度計１５の計測温度に基づいて通気部Ｔ内の水分ポテンシャルが室内空間Ｐの水分ポテンシャルより低いか否かを判定する。本実施の形態では、温度計１５の計測温度が温度ｔ１以上であるときに、制御部２５は、通気部Ｔ内の水分ポテンシャルが室内空間Ｐの水分ポテンシャルより低いと判定する。制御部２５には温度ｔ１が設定可能で、温度ｔ１として、夏季に通気部Ｔ内の水分ポテンシャルが室内空間Ｐの水分ポテンシャルより低いと考えられる、通気部Ｔ内の温度（例えば３０〜５０℃の範囲の所定温度）が設定される。
【００２７】
屋根裏空間Ｓ内の空気と室内空間Ｐ内の空気とは通常、ファン１６の作動によって入れ変えが行われているため、屋根裏空間Ｓと室内空間Ｐとは温度、相対湿度、絶対湿度及び水分ポテンシャルが近似化されている。閉空間において温度が上昇すると水分ポテンシャルは低下することから、傾斜板Ｒ１が日中に太陽熱を吸収し、通気部Ｔの温度が高くなると、通気部Ｔ内の水分ポテンシャルが低下し、通気部Ｔ内の水分ポテンシャルは室内空間Ｐ及び屋根裏空間Ｓの水分ポテンシャルより低くなる。
【００２８】
そのため、吸放湿層１３に吸収されていた水分はベース材１４を通って通気部Ｔに移動し、屋根裏空間Ｓの湿気（空気中の水分）は吸放湿層１３に吸収され、室内空間Ｐの湿気は屋根裏空間Ｓに移動するという現象が生じる。よって、室内空間Ｐの湿気は、屋根裏空間Ｓに移動し、屋根裏空間Ｓから吸放湿部材１１を経由して、通気部Ｔに移動することとなる。
【００２９】
制御部２５は、夏季に、温度計１５の計測温度を基に通気部Ｔ内の水分ポテンシャルが室内空間Ｐ及び屋根裏空間Ｓの水分ポテンシャルより低いと判定した際、ダンパ２２、２４をそれぞれ開状態及び閉状態にし、ファン２１を作動させ、これによって、図３に示すように、室内空間Ｐ内の空気を、通気部Ｔ、空気溜まり部Ｈ及び通気管２０経由で屋外に排出するようにする。このとき、通気部Ｔの水分ポテンシャルは屋根裏空間Ｓの水分ポテンシャルより低いことから、屋根裏空間Ｓの湿気は吸放湿部材１１を通して通気部Ｔに移動し、通気部Ｔ内の空気と共に、空気溜まり部Ｈ及び通気管２０を経由して屋外に排出される。その結果、室内空間Ｐの湿気は屋外に排出され、室内空間Ｐは除湿される。
【００３０】
制御部２５には、図２に示すように、ファン１７に接続された制御手段２６が接続されている。制御手段２６は、主としてＣＰＵ、メモリ及びソフトウェアによって構成でき、ファン１７の動作を制御し、制御部２５からファン２１及びダンパ２２、２４の動作状況に関する情報を取得可能である。居室に設置されたファン１７は、通常、所定の回転数で回転して、室内空間Ｐを換気している。なお、浴室に設置されたファン１８は手動の操作によって回転及び停止が切り替えられる。
【００３１】
制御手段２６は、制御部２５から取得した情報から、ダンパ２２、２４がそれぞれ開状態及び閉状態で、ファン２１が作動している（即ち、室内空間Ｐ内の空気が、通気部Ｔ、空気溜まり部Ｈ及び通気管２０経由で屋外に排出されている）のを検知した際、ファン１７を停止、又は、ファン１７の回転速度を低下させて空気排出量を減少させる。
【００３２】
制御手段２６は、この制御によって、室内空間Ｐ内の空気が、通気部Ｔ、空気溜まり部Ｈ及び通気管２０経由で屋外に排出される前と後で、単位時間内に建屋Ｑ内から屋外に排出される空気量が同等となるように調整する。そして、制御手段２６は、ダンパ２２、２４がそれぞれ開状態及び閉状態で、ファン２１が作動している状態が解除されたのを検知すると、ファン１７の回転を再開、又は、ファン１７の回転速度を通常時の値まで戻す。
【００３３】
また、制御部２５は、夏季に、温度計１５の計測温度が温度ｔ２（例えば、２０〜２５℃の範囲の所定温度）以下である際、通気部Ｔ内の温度が屋根裏空間Ｓの温度より低いと判定して（即ち、通気部Ｔ内の温度が温調装置１９が空気を取り込む空間の温度より低いと判定して）、ダンパ２２、２４をそれぞれ閉状態及び開状態にし、ファン２１を作動させ、図４に示すように、通気部Ｔ内の空気を屋根裏空間Ｓ（温調装置１９の吸い込み部１９ａが配置された空間）に送るようにする。通気部Ｔ内の空気が屋根裏空間Ｓに送られることにより室内空間Ｐから通気部Ｔ内に空気が取り込まれ、屋根裏空間Ｓ内の空気はファン１６によって室内空間Ｐに送られることから、空気搬送装置１２は室内空間Ｐの空気を通気部Ｔ経由で室内空間Ｐに戻すこととなる。
【００３４】
これは、夏季の夜間に、通気部Ｔ内の空気を室内空間Ｐに送って室内空間Ｐの室温を低下させるためであり、傾斜板Ｒ１の放射冷却により温度が低下した通気部Ｔ内の空気を屋根裏空間Ｓに送って屋根裏空間Ｓの温度を低下させ、温調装置１９の冷房の負荷を低減するためである。
なお、制御部２５には、温度ｔ２として、夏季に通気部Ｔ内の温度が屋根裏空間Ｓ（温調装置１９が空気を取り込む空間）の温度より低いと考えられる温度（例えば２０〜２５℃の範囲の温度）が設定される。
【００３５】
そして、制御部２５は、冬季に、温度計１５の計測温度を基に通気部Ｔ内の温度が温度ｔ３（所定温度の一例）以上である際、ダンパ２２、２４をそれぞれ閉状態及び開状態にし、ファン２１を作動させ、通気部Ｔ内の空気を屋根裏空間Ｓ（温調装置１９の吸い込み部１９ａが配置された空間）に送るようにする。よって、空気搬送装置１２は室内空間Ｐの空気を通気部Ｔ経由で室内空間Ｐに戻すこととなる。これは、冬季の日中に、太陽熱で傾斜板Ｒ１が温められて通気部Ｔの温度が上昇した際、通気部Ｔ内の空気を室内空間Ｐに送って室内空間Ｐの室温を上昇させるためであり、温度が上昇した通気部Ｔ内の空気を屋根裏空間Ｓに送って屋根裏空間Ｓの温度を上昇させ、温調装置１９の暖房の負荷を低減するためである。
【００３６】
制御部２５には、温度ｔ３として、冬季に通気部Ｔ内の温度が屋根裏空間Ｓの温度より高いと考えられる温度（例えば１５〜２５℃の範囲の温度）が設定される。なお、制御部２５に、現在が夏季か冬季であることを検知させる方法には様々な方法が存在し、例えば、制御部２５にインターネット経由で季節の情報を取得させるようにしてもよいし、制御部２５にカレンダー機能を設けるようにしてもよいし、制御部２５に夏季か冬季かを検知させるための切り替えスイッチを接続してもよい。
【００３７】
次に、図５を参酌して、本発明の第２の実施の形態に係る空調設備３０について説明する。なお、空調設備３０において、空調設備１０と同様の構成については同じ符号を付して詳しい説明を省略する。
空調設備３０は、図５に示すように、吸放湿部材１１、空気溜まり部Ｈ内の空気を送り出す空気搬送装置３１、屋根裏空間Ｓの空気を加熱又は冷却して室内空間Ｐに送る温調装置３２を備えている。
【００３８】
空気搬送装置３１は、ファン１６と、空気溜まり部Ｈの空気を屋外に排出するファン３４と、空気溜まり部Ｈの空気を通気管（ダクト）３５経由で温調装置３２に移送するファン３６を備えている。通気管３５の一端は、温調装置３２の空気の吸い込み部３２ａに接続されている。夏季に、温度計１５の計測温度が所定温度以下である際、ファン３６が作動して、通気部Ｔ内の空気を通気管３５経由で温調装置３２の空気の吸い込み部３２ａに直接移送し、冬季に、温度計１５の計測温度が所定温度以上である際、ファン３６が作動して、通気部Ｔ内の空気を通気管３５経由で温調装置３２の空気の吸い込み部３２ａに直接移送する。これによって、温調装置３２の冷房運転の負荷又は暖房運転の負荷を軽減することができる。
【００３９】
以上、本発明の実施の形態を説明したが、本発明は、上記した形態に限定されるものでなく、要旨を逸脱しない条件の変更等は全て本発明の適用範囲である。
例えば、屋根裏空間が存在しない建屋に対して空調設備を設けることができる。屋根裏空間が存在しない建屋に空調設備を設ける場合、吸放湿部材を室内空間内で屋根部の近傍に配置して吸放湿部材と屋根部の間に通気部を形成し、吸放湿部材が室内空間から直接湿気を吸収するようにすることで、室内空間の湿気を吸放湿部材、通気部経由で屋外に排出することができる。
【００４０】
また、屋根裏空間が存在しない建屋に、温調装置を備える空調設備を設ける場合、温調装置が空気を取り込む空間は室内空間（又は床下空間）となり、空気搬送装置は、夏季に、通気部内の温度が温調装置が空気を取り込む室内空間（又は床下空間）の温度より低いと判定した際、通気部内の空気を室内空間（又は床下空間）に送り、冬季に、通気部内の温度が温調装置が空気を取り込む室内空間（又は床下空間）の温度より高いと判定した際、通気部内の空気を室内空間（又は床下空間）に送る。
更に、通気部は、室内空間に直接、連通している必要はなく、室内空間に空気が流通する管や空間を介して連通していてもよい。
【００４１】
また、制御部（即ち、空気搬送装置）は、通気部温度計の計測温度のみを基にして通気部内の水分ポテンシャルが室内空間の水分ポテンシャルより低いか否かの判定をしなくてもよい。例えば、通気部温度計に加えて、室内空間の温度を計測する室内温度計を設け、通気部温度計の計測温度が室内温度計の計測温度より高いことを検知することによって（即ち、通気部温度計の計測温度及び室内温度計の計測温度に基づいて）通気部内の水分ポテンシャルが室内空間の水分ポテンシャルより低いと判定してもよいし、室内空間及び通気部にそれぞれ湿度計を配置し、その２つの湿度計の計測値を基に、通気部内の水分ポテンシャルが室内空間の水分ポテンシャルより低いか否かを判定してもよい。
【００４２】
そして、制御部は、夏季あるいは冬季に、通気部温度計の計測温度のみを基にして、通気部内の空気を温調装置が空気を取り込む空間に送ること（又は、通気部内の空気をダクト経由で温調装置に直接送ること）を決定する必要はない。例えば、通気部温度計の計測温度と温調装置が空気を取り込む空間の温度を計測する温度計の計測温度を比較して通気部内の空気を温調装置が空気を取り込む空間に送ることを決定してもよいし、制御部が外気温度を取得できるように設計し、制御部が、外気温度を基に、通気部内の空気を温調装置が空気を取り込む空間に送ることを決定してもよい。
【００４３】
また、通気部温度計及び室内温度計を備える場合、夏季に、通気部温度計の計測温度が室内温度計の計測温度より所定温度（例えば、３〜５℃の範囲の温度）以上低い際、空気搬送装置が室内空間の空気を通気部経由で室内空間へ戻すようにすることや、冬季に、通気部温度計の計測温度が室内温度計の計測温度より所定温度以上高い際、空気搬送装置が室内空間の空気を通気部経由で室内空間へ戻すようにすることができる。
【符号の説明】
【００４４】
１０：空調設備、１１：吸放湿部材、１２：空気搬送装置、１３：吸放湿層、１４：ベース材、１５：温度計、１６、１７、１８：ファン、１９：温調装置、１９ａ：吸い込み部、２０：通気管、２１：ファン、２２：ダンパ、２３：通気管、２４：ダンパ、２５：制御部、２６：制御手段、３０：空調設備、３１：空気搬送装置、３２：温調装置、３２ａ：吸い込み部、３４：ファン、３５：通気管、３６ファン、Ｈ：空気溜まり部、Ｍ：開口、Ｐ：室内空間、Ｑ：建屋、Ｒ：屋根部、Ｒ１、Ｒ２：傾斜板、Ｓ：屋根裏空間、Ｔ：通気部、Ｕ：天井板、Ｗ：壁部
【図１】
2019143940.tif 000003
【図２】
2019143940.tif 000004
【図３】
2019143940.tif 000005
【図４】
2019143940.tif 000006
【図５】
2019143940.tif 000007